(57)【要約】【課題】弁本体を傾きにくくすることが可能な洗浄水供給装置を提供する。【解決手段】便器に洗浄水を供給する洗浄水供給装置であって、一次側流路を形成する入水部と、この入水部に交差して二次側流路を形成する出水部と、入水部の出水部と接続される内壁面から入水部内に突出し、入水部内と出水部内とを連通する連通部と、この連通部の入口である連通口を開閉するパイロット式ダイヤフラム弁と、を備え、ダイヤフラム弁は、弁本体と、この弁本体を挟んで連通口と逆側に圧力室を形成する圧力室部と、弁本体に形成され入水部と圧力室部とを連通する連通流路と、圧力室部と出水部とを連通するパイロット流路と、このパイロット流路を開閉する制御弁と、を有し、入水部は連通部が形成される内壁面と対向する位置にダイヤフラム弁が設けられる接続口が開口され、連通部は接続口の内側端より外側にまで突出する洗浄水供給装置である。【選択図】  図２
2018119328.tif 000002
【特許請求の範囲】
【請求項１】
便器に洗浄水を供給する洗浄水供給装置であって、
一次側流路を形成する入水部と、この入水部に交差して二次側流路を形成する出水部と、前記入水部の前記出水部と接続される内壁面から前記入水部内に突出し、前記入水部内と前記出水部内とを連通する連通部と、この連通部の入口である連通口を開閉するパイロット式ダイヤフラム弁と、を備え、
前記ダイヤフラム弁は、弁本体と、この弁本体を挟んで前記連通口と逆側に圧力室を形成する圧力室部と、前記弁本体に形成され前記入水部と前記圧力室部とを連通する連通流路と、前記圧力室部と前記出水部とを連通するパイロット流路と、このパイロット流路を開閉する制御弁と、を有し、
前記入水部は前記連通部が形成される内壁面と対向する位置に前記ダイヤフラム弁が設けられる接続口が開口され、
前記連通部は前記接続口の内側端より外側にまで突出する洗浄水供給装置。
【請求項２】
前記連通部を取り囲む、前記連通部が形成される前記入水部の内壁面の前記連通口に対する高さ位置は一定である請求項１に記載の洗浄水供給装置。
【請求項３】
請求項１又は２に記載の前記洗浄水供給装置を備える便器装置。
【発明の詳細な説明】
【技術分野】
【０００１】
本発明は、便器に洗浄水を供給する洗浄水供給装置、及び、それを備える便器装置に関する。
【背景技術】
【０００２】
従来から、洗浄水供給装置として、制御弁にて一次側流路と二次側流路とを連通するパイロット流路を開閉することで、一次側流路と二次側流路との間の連通口を開閉するパイロット式ダイヤフラム弁を備えるものが知られている。通常、ダイヤフラム弁の弁本体はコンボリューション部と呼ばれる薄肉の折り返し部分を有している（例えば、特許文献１参照）。
【先行技術文献】
【特許文献】
【０００３】
【特許文献１】特開２００５−３１５４０４号公報
【発明の概要】
【発明が解決しようとする課題】
【０００４】
上述した従来の洗浄水供給装置においては、例えば、高流量の洗浄水を供給しようとすると、弁本体の開閉時に、連通口の流れ方向の中心軸に対して弁本体が傾きやすい。特に、例えば、制御弁が弁本体に形成された流路を開閉しないタイプであり、いわゆる主弁分離型のダイヤフラム弁である場合は、弁本体に形成された流路を流れる洗浄水により弁本体が連通口の中心軸に沿ってガイドされにくく、弁本体の開閉時に、連通口の中心軸に対して弁本体がより傾きやすい。弁本体が連通口の中心軸に対して傾く場合、傾くことでコンボリューション部が繰り返し屈曲し、破損につながる可能性がある。また、コンボリューション部が屈曲に耐えられるように、洗浄水の流量に合わせて、弁本体のサイズを大きくすることが考えられるが、弁本体が大型化することで洗浄水供給装置が大型化してしまう懸念がある。
【０００５】
本発明は、上述した問題を解決するためになされたものであり、弁本体を傾きにくくすることが可能な洗浄水供給装置を提供することを目的とする。
【課題を解決するための手段】
【０００６】
本発明は、便器に洗浄水を供給する洗浄水供給装置であって、一次側流路を形成する入水部と、入水部に交差して二次側流路を形成する出水部と、入水部の出水部と接続される内壁面から入水部内に突出し、入水部内と前記出水部内とを連通する連通部と、連通部の入口である連通口を開閉するパイロット式ダイヤフラム弁と、を備え、ダイヤフラム弁は、弁本体と、弁本体を挟んで連通口と逆側に圧力室を形成する圧力室部と、弁本体に形成され入水部と圧力室部とを連通する連通流路と、圧力室部と出水部とを連通するパイロット流路と、パイロット流路を開閉する制御弁と、を有し、入水部は連通部が形成される内壁面と対向する位置にダイヤフラム弁が設けられる接続口が開口され、連通部は接続口の内側端より外側にまで突出する洗浄水供給装置である。
【０００７】
このように構成された本発明においては、入水部は連通部が形成される内壁面と対向する位置にダイヤフラム弁が設けられる接続口が開口され、連通部は接続口の内側端より外側にまで突出するため、外側にまで突出していない場合に比べて、連通部周りを経て弁本体へと向かう洗浄水による水圧が弁本体に対して均一になりやすく、弁本体にかかる圧力が不均一になることを抑制することができる。そのため、弁本体を大型化せずとも弁本体を傾きにくくし、破損の発生を抑えることができる。
【０００８】
本発明は、好ましくは、連通部を取り囲む、連通部が形成される入水部の内壁面の連通口に対する高さ位置は一定である。
【０００９】
このように構成された本発明においては、連通部を取り囲む、連通部が形成される入水部の内壁面の連通口に対する高さ位置は一定であるため、一定でない場合に比べて、連通部周りを経て弁本体へと向かう洗浄水による水圧が弁本体に対してより均一になりやすく、弁本体にかかる圧力が不均一になることをさらに抑制することができる。そのため、弁本体を大型化せずとも弁本体を傾きにくくし、破損の発生を抑えることができる。
【００１０】
本発明は、また、洗浄水供給装置を備える便器装置である。
【００１１】
このように構成された本発明においては、連通部は入水部の内壁面よりも外側にまで突出するため、連通部周りを経て弁本体へと向かう洗浄水による水圧が弁本体に対して均一になりやすく、弁本体にかかる圧力が不均一になることを抑制することができる。そのため、弁本体を大型化せずとも弁本体を傾きにくくし、破損の発生を抑えることができる。従って、洗浄水供給装置の大型化を抑制することができ、便器装置における洗浄水供給装置のレイアウトの自由度を確保することができる。
【発明の効果】
【００１２】
本発明の洗浄水供給装置によれば、弁本体を傾きにくくすることが可能となる。
【図面の簡単な説明】
【００１３】
【図１】本発明の一実施形態に係る便器装置を示す構成図。
【図２】本発明の一実施形態に係るバルブユニットにおける給水弁を示す部分断面図。
【発明を実施するための形態】
【００１４】
以下、図面を参照して本発明の一実施形態に係る便器装置について説明する。
まず、図１により本発明の一実施形態に係る便器装置の構成について説明する。図１は本発明の一実施形態に係る便器装置を示す構成図である。
【００１５】
図１に示すように、本実施形態に係る便器装置１００は、たとえばトイレ室の床面に載置される陶器製の便器２００と、便器２００の後方に配置され、便器２００に対して洗浄水を供給する洗浄水供給装置１とを備える。
【００１６】
便器２００は、汚物を受けるボウル部２１０と、このボウル部２１０の底部から後方へ延びる排水トラップ管路２２０とを有する。ボウル部２１０にはリム吐水を行うリム吐水口２１２及びゼット吐水を行うゼット吐水口２１４が形成されている。リム吐水口２１２は、ボウル部２１０の上部後方に形成され、ボウル部２１０の上縁に沿って洗浄水を吐出する。ゼット吐水口２１４は、ボウル部２１０の底部に形成され、排水トラップ管路２２０に向けて洗浄水を吐出する。排水トラップ管路２２０は、封水を形成するとともに、下水配管（図示せず）と連通している。
【００１７】
洗浄水供給装置１は、図示しない制御部によって制御されるバルブユニット６００と、バルブユニット６００の下流に設けられ洗浄水を貯留するタンク８００と、タンク８００内の下流に設けられ洗浄水を加圧する加圧ポンプ９００とを備える。
【００１８】
バルブユニット６００の上流側には、図示しない給水源からの洗浄水を供給する一次側流路である給水路３２０が接続される。また、バルブユニット６００の下流側には、リム吐水口２１２に洗浄水を供給するためのリム側給水路３４０とタンク８００に洗浄水を供給するためのタンク側給水路３６０とが接続される。
【００１９】
バルブユニット６００は、定流量弁６２０と、定流量弁６２０の下流に設けられるパイロット式ダイヤフラム弁である給水弁６４０と、給水弁６４０の下流に設けられるバキュームブレーカ６８０と、バキュームブレーカ６８０の下流に設けられる切替弁６６０とを備える。このように、本実施形態に係る洗浄水供給装置１では、バキュームブレーカ６８０が、切替弁６６０の上流側に設けられる。
【００２０】
定流量弁６２０は、給水路３２０から定流量弁６２０に流れ込んで下流側へ向かう洗浄水の流量を一定にする。給水弁６４０は、その開閉により、リム吐水口２１２及びゼット吐水口２１４における洗浄水の吐水と止水とを切替える。
【００２１】
バキュームブレーカ６８０は、洗浄水の逆流を防止する。切替弁６６０は、リム側給水路３４０またはタンク側給水路３６０へ向けて洗浄水を供給する。なお、バキュームブレーカ６８０から溢れ出た洗浄水は、水受け部６８４によって捕集された後、水受け部６８４の底面に接続された排水路３９０によってタンク８００に排出される。
【００２２】
タンク８００の下部には、ポンプ側給水路３７０が接続されており、このポンプ側給水路３７０の下流端には加圧ポンプ９００が接続されている。加圧ポンプ９００は、ゼット側給水路３８０によりゼット吐水口２１４と接続されており、タンク８００に貯水された洗浄水を加圧してゼット側給水路３８０経由でゼット吐水口２１４へ供給する。
【００２３】
次に、図２により本発明の一実施形態に係るバルブユニットについて詳細に説明する。図２は本発明の一実施形態に係るバルブユニットにおける給水弁を示す部分断面図である。なお、図２は給水弁により連通口が閉止された状態を示す。
【００２４】
図２に示すように、バルブユニット６００は、図示しない給水源からの洗浄水を供給する一次側流路である給水路３２０が接続される入水部６１０と、入水部６１０に交差して二次側流路を形成する出水部６３０と、入水部６１０の出水部６３０と接続される内壁面６１２から入水部６１０内に突出し、入水部６１０内と出水部６３０内とを連通する連通部６５０とを有する。
入水部６１０内には定流量弁６２０が設けられる。また、出水部６３０により形成される二次側流路はバキュームブレーカ６８０及びバキュームブレーカ６８０の下流に設けられる切替弁６６０を経て、リム側給水路３４０及びタンク側給水路３６０へ接続する（図１参照）。また、入水部６１０は、連通部６５０が形成される内壁面６１２ａ、６１２ｂと対向する位置に給水弁６４０が設けられる接続口６１４が開口されている。
【００２５】
図２に示すように、連通部６５０の入口である連通口６５２は給水弁６４０により開閉される。
給水弁６４０は、弁本体６４１と、弁本体６４１を挟んで連通口６５２と逆側に圧力室を形成する圧力室部６４２と、圧力室部６４２内と出水部６３０とを連通するパイロット流路６４４と、パイロット流路６４４を開閉する制御弁６４６とを有する。なお、給水弁６４０は、制御弁６４６が弁本体６４１に形成された流路を開閉しないタイプであり、いわゆる主弁分離型のパイロット式ダイヤフラム弁である。
【００２６】
弁本体６４１は、ゴム製で薄肉の折り返し部分であるコンボリューション部を有するダイヤフラム６４１ａと、ダイヤフラム６４１ａを保持する保持部材６４１ｂからなる。また、弁本体６４１には、入水部６１０内と圧力室部６４２内とを連通する貫通したブリード孔６４１ｃ（連通流路）が設けられている。
【００２７】
ブリード孔６４１ｃにはゴミ詰まりを防止するクリーニングピン６４７が挿入されており、このクリーニングピン６４７は、圧力室部６４２に固定されている。そのため、弁本体６４１が移動する毎にブリード孔６４１ｃの内周面とクリーニングピン６４７が接触し、ブリード孔６４１ｃの内周面の異物付着による弁本体６４１の動作不良を抑制している。また、クリーニングピン６４７は弁本体６４１の開閉動作をガイドするガイド手段としても機能する。
【００２８】
また、図２に示すように連通部６５０は接続口６１４の内側端６１４ａより外側にまで突出している。即ち、連通部６５０は、入水部６１０の下流側（定流量弁６２０より下流側）の内壁面６１２において出水部６３０と接続する側の内壁面６１２ａ、６１２ｂから、連通部６５０が形成される側とは逆側の内壁面６１２ｃを越える位置まで突出している。
【００２９】
連通部６５０を取り囲む、連通部６５０が形成される入水部６１０の内壁面６１２ａ、６１２ｂの連通口６５２に対する高さ位置は一定である。即ち、連通部６５０の内壁面６１２からの突出量は、連通部６５０の流れ方向に延びる中心軸周りの連通部６５０の全周において同一である。なお、「連通部を取り囲む」とは、弁本体へと向かう洗浄水による水圧が弁本体に対してより均一になる範囲までを取り囲めばよく、例えば、接続口６１４を出水部６３０側へと投影した領域である。
【００３０】
上述した本発明の一実施形態による洗浄水供給装置１においては、制御弁６４６を開弁すると圧力室部６４２内の圧力が出水部６３０内とほぼ同じ圧力まで低下し、弁本体６４１に加わる力の釣り合いが崩れ、弁本体６４１が連通部６５０から離れ給水弁６４０が開弁する。
また、制御弁６４６を閉弁すると、パイロット流路６４４が閉じ、水は入水部６１０内からブリード孔６４１ｃを通り、圧力室部６４２内に流れ込み圧力室部６４２内の圧力が入水部６１０の圧力とほぼ同じとなり、弁本体６４１が連通部６５０に密着し連通口６５２が塞がれる。なお、弁本体６４１が連通口６５２を塞ぐ方向に動く際、入水部６１０内の定流量弁６２０を経て、連通部６５０周りに流れ込む洗浄水により、弁本体６４１へと水圧がかかる。
【００３１】
上述した本発明の一実施形態による便器装置１００の洗浄水供給装置１によれば、入水部６１０は連通部６５０が形成される内壁面６１２ｂ、６１２ｃと対向する位置に給水弁６４０が設けられる接続口６１４が開口され、連通部６５０は接続口６１４の内側端６１４ａより外側にまで突出するため、外側にまで突出していない場合に比べて、連通部６５０周りを経て弁本体６４１へと向かう洗浄水による水圧が弁本体６４１に対して均一になりやすく、弁本体６４１にかかる圧力が不均一になることを抑制することができる。そのため、弁本体６４１を大型化せずとも弁本体６４１を傾きにくくし、破損の発生を抑えることができる。
【００３２】
さらに、上述した本発明の一実施形態による便器装置１００の洗浄水供給装置１によれば、連通部６５０を取り囲む、連通部６５０が形成される入水部６１０の内壁面６１２ａ、６１２ｂの連通口６５２に対する高さ位置は一定であるため、一定でない場合に比べて、連通部６５０周りを経て弁本体６４１へと向かう洗浄水による水圧が弁本体６４１に対してより均一になりやすく、弁本体６４１にかかる圧力が不均一になることをさらに抑制することができる。そのため、弁本体６４１を大型化せずとも弁本体６４１を傾きにくくし、破損の発生を抑えることができる。
【００３３】
さらに、上述した本発明の一実施形態による便器装置１００によれば、弁本体６４１を大型化せずとも弁本体６４１を傾きにくくし、破損の発生を抑えることができる。従って、洗浄水供給装置１の大型化を抑制することができ、便器装置１００における洗浄水供給装置１のレイアウトの自由度を確保することができる。
【符号の説明】
【００３４】
１          洗浄水供給装置
１００      便器装置
２００      便器
２１０      ボウル部
２１２      リム吐水口
２１４      ゼット吐水口
２２０      排水トラップ管路
３２０      給水路
３４０      リム側給水路
３６０      タンク側給水路
３７０      ポンプ側給水路
３８０      ゼット側給水路
３９０      排水路
６００      バルブユニット
６１０      入水部
６１４      接続口
６２０      定流量弁
６３０      出水部
６４０      給水弁（パイロット式ダイヤフラム弁）
６４１      弁本体
６４１ａ    ダイヤフラム
６４１ｂ    保持部
６４１ｃ    ブリード孔（連通流路）
６４２      圧力室部
６４４      パイロット流路
６４６      制御弁
６４７      クリーニングピン
６５０      連通部
６５２      連通口
６８０      バキュームブレーカ
６８４      水受け部
６６０      切替弁
８００      タンク
９００      加圧ポンプ
【図１】
2018119328.tif 000003
【図２】
2018119328.tif 000004